(57)【要約】【課題】  遊技領域内に配置される装飾部の斬新性、装飾性が高められた遊技機を提供する。【解決手段】  パチンコ機１は、所定の枠（レール２２等）により囲まれるようにして遊技盤７上に遊技領域９０が構成されている。この遊技領域９０内には、所定の装飾部５５が配置されると共に、この装飾部５５において遊技領域９０の外部に延出する延出部６０が設けられている。そして、遊技盤７において、遊技領域の内部から外部に渡り、装飾部５５の一部を挿入可能とする装飾部取付用の配置孔７ａが形成されている。【選択図】  図８
2005095239.tif 000002
【特許請求の範囲】
【請求項１】
所定の枠によって囲まれることにより遊技盤上に遊技領域が構成された遊技機において、
前記遊技領域内に設けられた所定の装飾部の一部が、前記遊技領域の外部に及んで配置されており、
前記遊技盤の内部又は周縁部において、前記遊技領域の内部から外部に渡り、前記装飾部の一部を挿入して当該装飾部を前記遊技盤に取り付けるための、孔部又は切欠部からなる遊技盤非形成部が構成されていることを特徴とする遊技機。
【発明の詳細な説明】
【技術分野】
【０００１】
本発明は、遊技機に関する。
【背景技術】
【０００２】
従来、遊技機の一種として例えばパチンコ機が広く知られている。このようなパチンコ機等の遊技機では、遊技領域に配置される遊技部品（例えば、風車、装飾ランプ、表示装置など）に様々なデザインを施し、装飾効果を上げて遊技者の興味をなるべく引くように構成されている。そして、従来技術において、より一層装飾効果を高めようとする技術として例えば特許文献１のようなものが提供されている。
【特許文献１】特開２００３−１５４０７０公報
【発明の開示】
【発明が解決しようとする課題】
【０００３】
上記特許文献１では、デザイン的に連続する装飾部を遊技領域内に配置し、斬新性を高めようとする技術が開示されている。そしてこの特許文献１の構成によれば、デザイン的に連続する装飾部において、遊技球が流下可能な部位と流下不可能な部位とが設けられているため、遊技領域内に大きな装飾部が設けられて斬新性が高められ、その一方で遊技球の流下がそれほど阻害されない構成となっている。
【０００４】
ところで、従来の遊技機では、装飾部の主たる配置スペースである遊技領域が広さ的に限られているため、装飾部の配置位置、形状、大きさ等の制約を受けることが多く、その結果、装飾部が画一的になりがちであった。例えば、遊技球の流下領域、表示装置の配置領域などを考慮すると、装飾部の配置スペースが限られてしまうため、従来の遊技機ではこの限られた配置スペースでいかに斬新性に富む装飾部を配置するか様々に工夫していた。上記特許文献１の技術はこの限られたスペースを有効に用いて大きな装飾部を配置しようとするものであり、配置的に工夫がなされて一応は装飾部全体が遊技領域内に収まっているが、大きな装飾部の全てを遊技領域内に配置しようとしているため、配置位置、形状、大きさ等の様々な制約を依然として受けてしまう。
【０００５】
一方、遊技領域外にランプ等の装飾部を配置して装飾を行う遊技機が提供されている。これによれば、遊技領域内における装飾とは独立して外部にて装飾が行えるため、遊技領域内に配置される部品に制約されることなく装飾効果を高めることができる。しかしながら、このように遊技領域の外部に独立して装飾部を設けるように構成すると、遊技領域内の装飾と外部の装飾の関連性が薄まり、或いは無くなり、装飾性に欠ける構成となりやすく、外部装飾部があまり注目を集めにくくなることも懸念される。
【０００６】
このような問題に対し、本発明者らは、装飾部を遊技領域の内部から外部にまで及ぶように配置するという今までにない構成を着想するに至った。このようにすれば、装飾部が斬新でインパクトのある構成となり、一層面白みのある遊技機を提供できることとなる。
【０００７】
しかしながら、このように遊技領域の内部から外部にまで及ぶように部品を配置するような構成は従来において考えられていなかったため、これを採用しようとした場合、配置構成上問題があることが判明した。即ち、従来提供されている一般的な遊技機は、遊技領域内のみ或いは遊技領域外のみに装飾部が配置されるものであったが、上記のように装飾部を遊技領域内外に跨るように配置する構成は新規なものであるため、従来の配置構成をそのまま採用できないという問題がある。
【０００８】
本発明は上記のような事情に基づいて完成されたものであって、遊技領域内に配置される装飾部を遊技領域の外部にまで及ぶように構成して斬新性、装飾性を高めつつ、その一方で、装飾部を安定的に配置できる構成を提供することを目的とする。
【課題を解決するための手段】
【０００９】
上記課題を解決するために有効な手段等を以下に示す。なお、必要に応じてその作用効果等についても説明する。
手段１．所定の枠によって囲まれることにより遊技盤上に遊技領域が構成された遊技機において、
前記遊技領域内に設けられた所定の装飾部の一部が、前記遊技領域の外部に及んで配置されており、
前記遊技盤の内部又は周縁部において、前記遊技領域の内部から外部に渡り、前記装飾部の一部を挿入して当該装飾部を前記遊技盤に取り付けるための、孔部又は切欠部からなる遊技盤非形成部が構成されていることを特徴とする遊技機。
【００１０】
手段１（即ち、請求項１の構成）によれば、斬新な装飾態様をなす遊技機となり、かつ、遊技領域のみならず、遊技領域外を利用して装飾部を配置できることとなるため、配置スペースの自由度が増すこととなる。また、遊技盤非形成部を内部から外部にまで及ぶように構成しているため、上記のように特別な構成をなす装飾部を、遊技領域の内部から外部にかけて遊技盤に挿入でき、安定的に配置しやすい構成となる。なお、本手段でいう「遊技盤非形成部」は、遊技盤を貫通してなる孔部、又は遊技盤の一部を切り欠いてなる切欠部として構成されるものである。また、本手段でいう「装飾部の一部を挿入する構成」は、「孔内に挿入する構成」と「切欠部内に挿入する構成」（換言すれば「切欠部に装飾部の一部を嵌め合わせる構成」）の両方を包含する構成である。
【００１１】
手段２．前記所定の枠は、前記遊技盤非形成部が設けられた領域以外の領域において前記遊技盤上に配置される遊技盤上配置枠を備え、
一方、前記遊技盤非形成部が設けられた領域においては、前記装飾部がこの遊技盤上配置枠と隣接して設けられており、これら装飾部及び遊技盤上配置枠によって囲まれることにより前記遊技領域が構成されることを特徴とする手段１に記載の遊技機。
【００１２】
従来における一般的な遊技機では、遊技領域は、遊技盤上に配置される枠によってほぼ全周を囲まれるようにして構成されているが、本願のような特殊な装飾部及び遊技盤構成では、従来のように単に遊技盤上に枠を配置するのみでは遊技領域を構成することができない。即ち、遊技領域の内外に渡って遊技盤非形成部が構成されてその領域には遊技盤が設けられないため、この領域においてどのように部品を配置して遊技領域を構成するかが問題となる。手段２の構成では、遊技盤が設けられる領域については、遊技盤上に取り付けられる遊技盤上配置枠によって遊技領域を取り囲み、一方、遊技盤が設けられない領域（遊技盤非形成部の領域）については、遊技盤上配置枠とは別体に形成された装飾部が遊技盤上配置枠と連続して配置され、これらによって遊技領域が隙間なく連続的に取り囲まれることとなる。なお、本明細書でいう「遊技盤上配置枠」は、遊技盤上に取り付けられて遊技領域の周壁をなす枠を指し、例えば大部分若しくは全部をレール（例えば、金属製、或いは樹脂製のレール）によって構成してもよく、レールに換えて、又はレールと共に樹脂部品などによって構成してもよい。また、複数の部品を連続配置するようにして遊技盤上配置枠を構成してもよい。
【００１３】
手段３．前記装飾部の一部において前記遊技領域の境界に沿って壁状に形成される仕切り壁が形成されており、この仕切り壁が前記所定の枠の一部とされていることを特徴とする手段２に記載の遊技機。
【００１４】
遊技領域内外に渡るように遊技盤非形成部を構成すると、その領域には遊技盤が存在しないこととなるため、遊技盤上に配置される遊技盤上配置枠（レール等）を遊技領域全周に渡って設けにくくなるが、上記構成によれば、装飾部内にレール等を設けずとも装飾部内において遊技領域を確実に仕切ることができる構成となる。具体的には、前記仕切り壁が前記遊技盤上配置枠と連続的に並ぶように配置し、この仕切り壁の壁面が、前記遊技盤配置枠の側面とほぼ連続して前記遊技領域の境界をなすように構成できる。
【００１５】
手段４．前記装飾部上を遊技球が流れるように、当該装飾部の内部領域において遊技球の流路が構成されていることを特徴とする手段２又は手段３に記載の遊技機。
【００１６】
このようにすれば、遊技領域の内外に渡るように装飾部を配置するという特別な構成を用いた場合であっても、完全に遊技球の流下を遮断することがない構成となる。なお、遊技領域内外に渡るように遊技盤非形成部を構成すると、その領域には遊技盤が存在しないため、流路を設ける場合に問題となるが、上記のように装飾部上を遊技球が流れるように流路を構成すれば、遊技盤が存在しなくても遊技球を通過させることができる構成となる。なお、本明細書でいう「装飾部の内部領域」は、遊技盤の盤面（板面）に沿った方向に関し、装飾部が設けられる領域を指している。
【００１７】
手段５．前記装飾部上を遊技球が流れるように、当該装飾部内部領域において遊技球の流路が構成され、当該流路は、前記仕切り壁の壁面を流路側面とするように、前記仕切り壁の壁面に沿って構成されていることを特徴とする手段３に記載の遊技機。
【００１８】
このようにすれば、装飾部内にレール等を設けずとも装飾部内において遊技領域を確実に仕切ることができ、かつその仕切り壁を流路の側面に兼用できる構成となる。
【００１９】
手段６．前記装飾部を前記遊技盤の盤面に沿って貫通するように前記流路が構成されていることを特徴とする手段３ないし手段５のいずれかに記載の遊技機。
【００２０】
このようにすれば、装飾部内に流路を構成することのできる好適構成となる。
【００２１】
手段７．前記装飾部において、前記遊技盤の盤面に沿って延びる溝部が設けられ、この溝部が前記流路として構成されていることを特徴とする手段３ないし手段５に記載の遊技機。
【００２２】
このようにすれば、装飾部内に流路を簡易な構成にて設けることのできる好適構成となり、かつ流路内部を露出しやすい構成となる。
【００２３】
手段８．前記装飾部において前記流路の内部が視認可能に構成されていることを特徴とする手段３ないし手段７のいずれかに記載の遊技機。
【００２４】
このようにすれば、装飾部内における遊技球の流下を確認できる構成となり、面白みのある構成となる。
【００２５】
手段９．前記装飾部は、前記流路が設けられている流路領域において、当該流路領域の外部と連続する装飾がなされていることを特徴とする手段３ないし手段７のいずれかに記載の遊技機。
【００２６】
このようにすれば、装飾部内に流路を構成した場合であっても、その流路によって装飾の連続を遮ることとはならず、連続性の高い装飾が実現する。なお、本明細書でいう「流路領域」とは、遊技盤の盤面に沿った方向（即ち盤面と平行な面方向）に関し、流路が配置される領域を指しており、上記構成によれば、この盤面に沿った方向において流路内外が装飾的に連続することとなる。
【００２７】
手段１０．前記流路は一部において内部が露出して構成されると共に、その露出部の流路底面において、前記流路領域の外部と連続する装飾がなされていることを特徴とする手段９に記載の遊技機。
【００２８】
このようにすれば、流路内部が露出することにより遊技球が視認可能となるため、面白みをもたせることができ、その一方で、露出部の流路底面において流路領域外部と連続する装飾がなされているため、露出部によって装飾の連続性が遮られない構成となる。
【００２９】
手段１１．前記流路領域において、流路の前方を部分的にカバーする流路カバー部が設けられ、その流路カバー部の外面に、前記流路領域の外部と連続する装飾がなされていることを特徴とする手段９に記載の遊技機。
【００３０】
このようにすれば、流路領域において装飾の連続性が遮断されない好適な構成となる。
【００３１】
手段１２．前記装飾部の内部において遊技球が通過不能に構成されていることを特徴とする手段２又は手段３に記載の遊技機。
【００３２】
このようにすれば、装飾部内において遊技球を通過させたくない場合に都合の良い構成となる。
【００３３】
手段１３．前記遊技領域は、少なくとも一部が、前記遊技盤上に配置された遊技盤上配置枠により囲まれる構成をなす一方、この遊技盤上配置枠が、前記遊技盤から前記遊技盤非形成部側にまで渡っていることを特徴とする手段１に記載の遊技機。
【００３４】
このようにすれば、遊技領域内外に渡るように遊技盤非形成部を構成して遊技領域の境界に遊技盤を設けないようにした場合であっても、遊技盤上に設けられた遊技盤上配置枠（レール等）が遊技盤非形成部が設けられた領域にまで渡って配置されているため、当該遊技盤上配置枠によって遊技領域を囲むことのできる構成となる。即ち、遊技領域の内外に渡るように装飾部を配置するという特別な構成を用いた場合であっても、それに伴って複雑な枠構成をとる必要がなく（例えば枠を構成するための装飾部を複雑に変形させる必要がなく）、一般的に用いられるレール等の遊技盤上配置枠を遊技盤非形成部が設けられた領域内においても適用できる構成となる。
【００３５】
手段１４．前記遊技盤上配置枠は、前記遊技盤非形成部が設けられた領域において、前記装飾部上に配置されていることを特徴とする手段１３に記載の遊技機。
【００３６】
このようにすれば、遊技盤非形成領域にまで渡って遊技盤上配置枠を配置した場合に、装飾部によって遊技盤上配置枠を支持できる構成となり、上記のように遊技領域内外に渡るように遊技盤非形成部を構成して遊技領域の境界に遊技盤を設けないという特別な構成を用いた場合であっても当該遊技盤非形成部が形成された領域において遊技盤上配置枠を安定して配置することができる。
【００３７】
手段１５．前記遊技盤上配置枠は、前記遊技盤上に固定される一方、前記遊技盤非形成部が設けられた領域においては後方側を支持されない状態で配置されていることを特徴とする手段１３に記載の遊技機。
【００３８】
このようにすれば、遊技盤上おいては遊技盤上配置枠を安定的に固定でき、一方、遊技盤非形成部が設けられた領域においては、遊技盤状配置枠の後方側を支持する構成を省略して装置構成の簡素化を図ることができる。また、このようにすれば、遊技盤非形成部を形成する加工（例えばルータ加工）を施した後に、当該遊技盤非形成部と遊技盤上配置枠の間に部品（例えば装飾部）を介在させることなく遊技盤上配置枠を配置したい場合に有利な構成となる。
【００３９】
手段１６．前記遊技盤上配置枠は、前記遊技盤非形成部を跨ぐ構成にて配置され、前記遊技盤非形成部の両側において前記遊技盤に固定されていることを特徴とする手段１５に記載の遊技機。
【００４０】
このようにすれば、遊技盤非形成部が設けられた領域において後方側を支持されない状態で遊技盤上配置枠を配置したとしても、その両側で当該遊技盤状配置枠が固定される構成となるため、簡易な構成にて安定した配置が可能となる。
【００４１】
手段１７．前記装飾部は、前記遊技盤非形成部が設けられた領域において、前記遊技盤上配置枠の前方を跨ぐようにして遊技領域の内部から外部に渡って配置されていることを特徴とする手段１５又は手段１６に記載の遊技機。
【００４２】
このようにすれば、遊技盤非形成部が設けられた領域に後方側が支持されない状態で遊技盤上配置枠を配置した場合であっても、装飾部を遊技領域の内部から外部に渡って連続的に配置できる好適な構成となる。
【００４３】
手段１８．前記装飾部内において、前記遊技盤上配置枠に沿って遊技球の流路が構成されていることを特徴とする手段１３ないし手段１７のいずれかに記載の遊技機。
【００４４】
このようにすれば、遊技盤非形成部が設けられた領域にレール等の遊技盤上配置枠を配置した構成において、その遊技盤上配置枠に沿うように流路が構成されるため、装飾部内において遊技球を通過させることのできる好適な構成となり、遊技盤上配置枠を流路壁として兼用できる構成となる。
【００４５】
手段１９．前記装飾部は、遊技領域内に配置される部分と、遊技領域外に配置される部分とが一体的に連続した部品として構成され、一部が前記遊技盤非形成部内に挿入された状態で前記遊技盤に取り付けられていることを特徴とする手段１ないし手段１８のいずれかに記載の遊技機。
【００４６】
このようにすれば、複雑な構成を採らずとも一体部品によって遊技領域内部から外部まで及ぶ構成とでき、簡素な構成で斬新な効果が得られることとなる。なお、ここでいう「一体的に連続した部品」とは、遊技領域内に配置される部分と、遊技領域外に配置される部分とが分離不能な部品を指している。
【００４７】
手段２０．前記装飾部において、前記遊技領域内に配置される部分と前記遊技領域外に配置される部分とが一体的に形成された樹脂部品として構成されることを特徴とする手段１９に記載の遊技機。
【００４８】
このようにすれば、安価かつ容易に一体部品を構成できることとなる。ここでいう「一体的に形成された樹脂部品」とは、遊技領域内に配置される部分と遊技領域外に配置される部分とが分離不能な部品を指しており、具体的には遊技領域内に配置される部分と遊技領域外に配置される部分とが一体成形された部品を用いることができる。
【００４９】
手段２１．前記装飾部は、複数の部品が隣接して配置されて連なる装飾をなすとともに、それら複数の部品の、それぞれの一部が共に前記遊技盤非形成部内に挿入された状態で前記遊技盤に取り付けられていることを特徴とする手段１ないし手段１８のいずれかに記載の遊技機。
【００５０】
このようにすれば、一体的な装飾部を配置しにくい場合に都合の良い構成となる。ここでいう「隣接して配置される構成」とは、複数の部品が近くに配置される構成であればよく、例えば、互いに当接し合う別部品として構成してもよく、僅かな距離（例えば遊技球の径より小さい距離）を隔てて隣接する別部品として構成してもよい。また、互いの一部分が前後に重なる別部品として構成してもよい。なお、本明細書において前方向とは遊技盤の盤面と直交する方向に関し遊技者側の方向を指し、後方向とはその逆方向（遊技機内部側）を指すものとする。
【００５１】
手段２２．所定の表示を行う表示装置を備える一方、前記装飾部は、この表示装置の周囲に設けられた表示装置周囲部品からなり、
この表示装置周囲部品が前記遊技領域の内部から外部にまで及ぶ構成をなすことを特徴とする手段１ないし手段２１のいずれかに記載の遊技機。
【００５２】
手段２２の構成によれば、表示装置の周囲部品を今までになく斬新に構成でき、また、広い配置スペースを必要とする周囲部品を遊技領域内外にわたって配置できるため、配置の自由度が増すこととなる。なお、本明細書でいう「表示装置周囲部品」は、当該部品の周囲のいずれかの位置に表示装置が備えられる部品であればよく、表示装置の周囲を枠状に囲む部品であってもよく、表示装置の前方や側部に隣接して取り付けられる部品などであってもよい。
【００５３】
手段２３．前記表示装置において表示画面が設けられており、この表示画面は、中心が前記遊技領域の中央付近より前記延出部寄りにずれた位置に配置されることを特徴とする手段２２に記載の遊技機。
【００５４】
このようにすれば、表示装置の斬新な配置構成となり、かつ表示画面と延出部とが配置的により関連付けられたものとなる。具体的には例えば、表示画面が遊技領域の左側領域から右側領域にわたって配置され、かつその表示画面の中心が延出部寄りにずれた位置となるように前記表示装置を構成できる。また、遊技領域の左側領域と右側領域において、いずれか一方の領域に表示画面が全て収まるように表示装置を構成してもよい。
【００５５】
手段２４．前記表示画面が、前記遊技領域の内部から外部に及んで配置されることを特徴とする手段２３に記載の遊技機。
【００５６】
このようにすれば、表示画面が斬新な配置構成となり、かつ、配置の自由度が増す。即ち、従来の遊技機では表示装置を全て遊技領域内に収めて配置していたが、このように遊技領域の内外にわたって配置することで斬新な配置構成となり、かつ表示画面全てを遊技領域内に収める必要がないため、他部品を配置するスペースをより広くすることができる。
【００５７】
手段２５．前記表示装置において、前記表示画面が、前記遊技盤の盤面に対して傾斜した構成をなすことを特徴とする手段２３又は手段２４に記載の遊技機。
【００５８】
このようにすれば、表示画面を中心よりずれた構成として配置的に斬新な構成としつつ、その一方で遊技者に見やすい表示画面の配置となる。具体的には、表示画面が中心より延出部寄りにずれる構成とし、その表示画面が遊技者側に面するように傾斜させることができる。
【００５９】
手段２６．前記装飾部は、所定のキャラクターを模してなるキャラクター部を有すると共に、そのキャラクター部の少なくとも一部が、前記遊技領域の内部から外部にまで及ぶ構成をなすことを特徴とする手段１ないし手段２５のいずれかに記載の遊技機。
【００６０】
このようにすれば、遊技者の興味を引きやすいキャラクター部について、より斬新な配置構成を採ることができる。
【００６１】
なお、本発明でいうキャラクター部は、各種分野におけるキャラクターを平面的又は立体的に模した構成とすることができる。具体的には、小説・漫画・映画・演劇・テレビ・或いはその他の分野において登場する人、動植物、その他のもの、シンボル、またはそのイメージ等を、平面的又は立体的に模した部分として構成することができ、特に、遊技機利用者において、周知、ないし著名な、若しくは架空の人物、動植物、その他のものを模した構成としたり、意匠性に優れた構成とすると、装飾性、遊技性を効果的に高めうる構成となる。
【００６２】
手段２７．前記キャラクター部は、動作態様、表示態様等の態様が変化可能に構成されることを特徴とする手段２６記載の遊技機。
【００６３】
このように、斬新な配置構成を採りつつ動作態様、表示態様等の態様が変化可能となるように構成すれば、相乗的に興趣を高めうる構成となる。なお、本発明でいう態様の変化は、キャラクター部自体が変化する構成のみならず、キャラクター部に関連する部位（たとえばキャラクター部の近傍等）の態様が変化することによりキャラクター部の態様が相対的に変化するような構成をも概念として含む。例えば、キャラクター部から所定距離離れた位置においてランプが光ることによりキャラクター部が照らされ、明るく見えるようになったり、所定の色あいをもつようになる構成をも包含する。また、態様の変化としては、キャラクター部自体、若しくはキャラクター部と関連する部位が変位するような動作による態様変化、或いは、キャラクター部内、若しくはキャラクター部と関連する所定の部位が発光するような発光による態様変化など、あらゆる態様変化が概念として含まれ、キャラクター部の様子が変化する構成であればこれら以外の態様変化手法を適用しても勿論よい。
【００６４】
手段２８．前記キャラクター部の態様を変更するように制御するキャラクター部態様制御手段を備えたことを特徴とする手段２７に記載の遊技機。
【００６５】
このように、キャラクター部の態様を制御により変更するようにすれば、タイミング良くキャラクター部の態様を変更することができる。例えば、前記キャラクター部態様制御手段により、キャラクター部の態様を遊技状態に応じたものに設定するように制御を行うように構成すれば、遊技状態に応じてキャラクター部が様々に変化する構成となる。なお、キャラクター部態様制御手段は、具体的にはＣＰＵを主体として構成することができる。
【００６６】
なお、本発明でいう態様の変化は、キャラクター部自体が変化する構成のみならず、キャラクター部に関連する部位（たとえばキャラクター部の近傍等）の態様が変化することによりキャラクター部の態様が相対的に変化するような構成をも概念として含む。例えば、キャラクター部から所定距離離れた位置においてランプが光ることによりキャラクター部が照らされ、明るく見えるようになったり、所定の色あいをもつようになる構成などをも包含する。また、態様の変化としては、キャラクター部自体、若しくはキャラクター部と関連する部位(関連する部位としては、例えば、キャラクター部の近傍の部位や、キャラクター部と連動機構により連動する部位等）が変位するような動作による態様変化、或いは、キャラクター部内、若しくはキャラクター部と関連する所定の部位が発光するような発光による態様変化など、あらゆる態様変化が概念として含まれ、キャラクター部の様子が変化する構成であればこれら以外の態様変化手法を適用しても勿論よい。
【００６７】
手段２９．前記キャラクター部の少なくとも一部が、前記遊技領域の内部と外部に跨る位置において変位可能に構成されたことを特徴とする手段２６ないし手段２８のいずれかに記載の遊技機。
【００６８】
このようにすれば、キャラクター部の斬新な配置構成となり、かつ自由度の高い配置構成が可能となる。即ち、遊技領域の内部に配置するのではなく、内外に跨る位置に配置しているため、この変位する部分が遊技領域においてスペースをとりすぎることとならず、面白みのある駆動構成を用いつつ、その一方で遊技領域を有効に利用できる構成となる。
【００６９】
手段３０．前記キャラクター部は、前記遊技領域の内部での態様変化と、遊技領域外部又は遊技領域内外に跨る位置での態様変化とが連動、若しくは関連した動作をなすことを特徴とする手段２７ないし手段２９のいずれかに記載の遊技機。
【００７０】
このようにすれば、遊技領域の内外でより装飾の関連性が高められることとなる。例えば、所定部品が遊技領域内外にわたって配置されるようにキャラクター部を構成し、この所定部品を変位可能とすることにより遊技領域内外にわたる部品が連動する構成となる。このようにせずに、遊技領域内外に別々に配置される部品をそれぞれ連動させるように構成してもよい。また、必ずしも動作によって関連付けなくても良い。例えば、キャラクター部において遊技領域の内部部位と外部部位の発光態様を関連付けるようにしてもよい。
【００７１】
手段３１．前記装飾部は、所定の入賞装置からなり、当該入賞装置を構成する部品の一部が前記遊技領域の外部に及んで配置されることを特徴とする手段１ないし手段３０のいずれかに記載の遊技機。
【００７２】
このようにすれば、今までにない斬新な入賞装置を構成できることとなる。
【００７３】
手段３２．前記装飾部は、前記遊技領域の右側上部領域において、外部に及ぶ構成をなすことを特徴とする手段１ないし手段３１のいずれかに記載の遊技機。
【００７４】
このようにすれば、一般的に遊技球の流下量が少ない部位を効率的に装飾に用いることが可能となる。なお、本発明において右側とは、遊技者から見て遊技機右側を指し、左側とはその逆である。遊技領域の上下方向とは鉛直上下方向を指す。
【００７５】
手段３３．前記装飾部は、前記遊技領域の中央付近から遊技領域外部にわたって構成されることを特徴とする手段１ないし手段３２のいずれかに記載の遊技機。
【００７６】
このようにすれば、中央から遊技領域外部にわたって広い範囲に装飾部を配置でき、遊技者の興味を引きやすい構成となる。
【００７７】
手段３４．前記装飾部は、一端が前記遊技領域における左側領域に配置されており、他端が前記遊技領域の右側領域外部に配置されることを特徴とする手段３３に記載の遊技機。
【００７８】
このようにすれば、極めて大きな装飾部が配置されることとなり、インパクトの大きな構成となる。なお、本明細書において遊技領域の右側領域とは、遊技領域を左右にほぼ等間隔に二分した場合の右側領域を指し、左側領域はその逆である。
【００７９】
手段３５．遊技盤の前方において遊技球の流路を構成する流路構成透明板が設けられると共に、この流路構成透明板の板面の少なくとも一部が、前記遊技盤の盤面と対向して流路を構成する流路構成面とされており、
前記装飾部の全体が、前記流路構成面よりも後方に配置されて前記流路構成透明板によりカバーされた構成をなすことを特徴とする手段１ないし手段３４のいずれかに記載の遊技機。
【００８０】
このようにすれば、斬新な構成をなす装飾部をカバーするに際し、透明板を複雑な構造としなくても装飾部の全体がカバー可能となる。
【００８１】
手段３６．前記流路構成透明板の前方において、当該流路構成透明板とほぼ平行に配置される前方透明板が設けられており、
前記装飾部の全体が、これら流路構成透明板及び前方透明板によりカバーされる構成をなすことを特徴とする手段３５に記載の遊技機。
【００８２】
このようにすれば、流路構成透明板及び前方透明板の両方によって装飾部の全体がカバーでき、部品保護、騒音等の面において有用な構成となる。
【００８３】
手段３７．前記流路構成透明板において、当該遊技機の前方から視認可能に構成される視認部は、前記遊技領域の前方に配置されて略円弧状の周縁部を有する遊技領域カバー部と、この遊技領域カバー部より板面方向外側に延び、前記装飾部における前記遊技領域の外部に配置される部分をカバーする外部カバー部とを有してなることを特徴とする手段３５又は手段３６に記載の遊技機。
【００８４】
このようにすれば、円形の遊技領域、及び外部に及んで配置される装飾部にそれぞれ対応した形状の流路構成透明板となる。また、単なる円形、矩形等の簡単な形状ではないため、視認部の形状に面白みをもたせることができる。
【００８５】
手段３８．前記流路構成透明板の前方に配置される前方透明板が前記流路構成透明板とほぼ同形状に形成されて前記遊技領域カバー部と前記外部カバー部とを有しており、
前記装飾部における前記遊技領域の外部に配置される部分が、前記流路構成透明板及び前記前方透明板の双方の前記外部カバー部によってカバーされることを特徴とする手段３７に記載の遊技機。
【００８６】
このようにすれば、流路構成透明板及び前方透明板の双方を遊技領域及び装飾部に対応した適切な形状とすることができる。
【００８７】
手段３９．前記流路構成透明板において、当該遊技機の前方から視認される視認部は、略矩形形状をなしており、
前記装飾部の一部が前記流路構成透明板における前記視認部の角部付近に及ぶように配置され、かつその角部付近によってカバーされる構成をなすことを特徴とする手段１ないし手段３６のいずれかに記載の遊技機。
【００８８】
このようにすれば、簡単な矩形形状の流路構成透明板によって、遊技領域外部に及ぶ装飾部の全体をカバーできる構成となる。また、汎用的な矩形形状の視認部をなすため、他の種類の遊技機に流用しやすい構成となる。具体的には、透明板を保持する透明板保持枠（具体的にはガラス扉枠等）において、遊技領域を視認できるように構成される窓部の形状を簡単な矩形形状に設定することができる。
【００８９】
手段４０．前記流路構成透明板と、この流路構成透明板の前方に配置される前方透明板において、当該遊技機の前方から視認される視認部が共にほぼ矩形形状をなしており、
前記装飾部における前記遊技領域の外部に配置される部分が、前記流路構成透明板及び前記前方透明板の双方の視認部の角部付近によってカバーされることを特徴とする手段３９に記載の遊技機。
【００９０】
このようにすれば、二枚の透明板の視認部の形状を共に簡単な形状としつつ装飾部全体をカバー可能な構成となる。具体的には、透明板を保持する透明板保持枠（具体的にはガラス扉枠等）の窓部の形状を簡単な矩形形状に設定することができる。
【００９１】
手段４１．遊技盤の前方において遊技球の流路を構成する流路構成透明板が設けられると共に、この流路構成透明板の板面の少なくとも一部が、前記遊技盤の盤面と対向して流路を構成する流路構成面とされており、
前記装飾部の一部が前記流路構成面より前方位置に突出することを特徴とする手段１ないし手段３４のいずれかに記載の遊技機。
【００９２】
このようにすれば、装飾部が遊技領域外まで及ぶといった斬新な構成を実現しつつ、その一方で、少なくとも一部が流路構成面よりも前方に突出してより一層斬新で面白みのある構成となる。具体的には、従来において遊技領域に配置される装飾部は平坦な流路構成板の後方に全て設けられていたが、上記構成のように、装飾部を遊技領域外に及ぶように構成するのみならず、一部を流露構成面より突出する構成とすれば、今までにない一層斬新な構成となる。
【００９３】
手段４２．前記装飾部において、前記遊技領域外に配置される部分が、前記流路構成面よりも前方に突出することを特徴とする手段４１に記載の遊技機。
【００９４】
このようにすれば、あまり注目を引かない遊技領域外部を効果的に目立たせることができる。具体的には、例えば、延出部の一部を前記流路構成面より突出させる一方、当該装飾部における前記遊技領域内に配置される遊技領域配置部を、前記流路構成面よりも後方に配置するように構成できる。
【００９５】
手段４３．前記流路構成透明板とこの流路構成透明板の前方に配置される前方透明板が異なる形状をなしており、
前記流路構成透明板を貫通する形態にて、或いは流路構成透明板の周縁部外側位置において前方に突出する形態にて前記突出部が設けられており、さらにこの突出部の前方が、前記前方透明板によってカバーされた構成をなすことを特徴とする手段４１又は手段４２に記載の遊技機。
【００９６】
このように構成すれば、突出部を設けて斬新な構成を達成しつつ、その一方でこの突出部が前方透明板によりカバーされて確実に保護される構成となる。なお、流路構成透明板の周縁部外側位置において前方に突出する形態は、例えば流路構成透明板の周縁部が切り欠かれて構成され、その切欠部を介して突出部が前方に突出する構成などが挙げられる。
【００９７】
例えば、手段４３において、前記流路構成透明板の周縁の一部を切り欠くようにして切欠部を形成し、この切欠部を介して前記突出部を前方に突出させるようにしてもよい。このようにすれば、流路構成透明板の前方に突出部を突出させることができる好適構成となる。
【００９８】
手段４４．前記装飾部において、前記流路構成透明板の縁部の前方を覆う縁部カバーが設けられたことを特徴とする手段４３に記載の遊技機。
【００９９】
このようにすれば、流路構成透明板の縁部の露出を低減又は防止でき、デザイン性に優れた構成となる。
【０１００】
手段４５．前記突出部の前方をカバーする前記前方透明板は、全体が平坦に構成されるものであることを特徴とする手段４１ないし手段４４のいずれかに記載の遊技機。
【０１０１】
このようにすれば、装飾部の一部を流路構成面前方に突出させるといった斬新な構成としつつも、前方透明板を特別な形状とせずに突出部前方をカバーできる構成となる。
【０１０２】
手段４６．前記前方透明板において、前記突出部の前方位置に、この突出部をカバーする突出部カバー部が、前方に凸となる形状にて設けられていることを特徴とする手段４１ないし手段４４のいずれかに記載の遊技機。
【０１０３】
このようにすれば、突出部を流路構成平面よりも前方に突出させるという斬新な構成をとりつつ、その突出部の前方が凸状にカバーされて露出しない構成となるため、特殊な構成をなす突出部を効果的に保護できる。なお、手段４６の構成において、前方透明板を樹脂部材により構成し、一方、流路構成透明板をガラス部材によって構成することができる。このようにすれば、流路構成透明板については傷等が生じにくいガラス部材によって構成され、前方透明板については加工し易い樹脂部材によって構成されることとなる。
【０１０４】
手段４７．前記流路構成透明板は、流路を構成する平坦部と、前記突出部に対応する位置においてこの突出部をカバーするように形成されると共に前記平坦部よりも前方に凸となる突出カバー部とが設けられたことを特徴とする手段４１又は手段４２に記載の遊技機。
【０１０５】
このようにすれば、突出部を流路構成面より前方に突出させつつ、当該突出部を流路構成透明板によってカバーできる構成となる。
【０１０６】
手段４８．前記前方透明板において、前記突出部の前方位置に、この突出部をカバーする突出部カバー部が、前方に凸となる形状にて設けられており、前記突出部に対応する位置において、前記流路構成透明板と前記前方透明板の両方において、前記突出カバー部が凸状に設けられたことを特徴とする手段４７に記載の遊技機。
【０１０７】
このようにすれば、両透明板において凸状の突出カバー部が設けられているため、突出部を流路構成面より突出させつつ、両透明板の突出カバー部によって突出部の前方が効果的に保護される構成となる。
【発明の効果】
【０１０８】
本発明によれば、斬新な装飾態様をなす遊技機となり、かつ、遊技領域のみならず、遊技領域外を利用して装飾部を配置できることとなるため、配置スペースの自由度が増すこととなる。また、遊技盤非形成部を内部から外部にまで及ぶように構成しているため、上記のように特別な構成をなす装飾部を、遊技領域の内部から外部にかけて遊技盤に挿入でき、安定的に配置しやすい構成となる。
【発明を実施するための最良の形態】
【０１０９】
＜実施形態１＞
本発明の実施形態１を図１ないし図８を参照しつつ説明する。
図１は、本実施形態に係る遊技機における遊技盤構成を概念的に例示する正面図を示し、図２は、図１の遊技盤を用いた遊技機を概念的に例示する正面図を示している。また、図３はその斜視図である。さらに、図４は、図２のガラス扉枠の裏側構成を概念的に例示する概念図であり、図５は、図４のガラス構成の変形例を概念的に例示する概念図である。また、図６（Ａ）は、本実施形態における装飾部の配置構成を説明する説明図であり、図１のＡ−Ａ断面付近を概念的に説明するものである。図６（Ｂ）は、図６（Ａ）の遊技盤部分のみを示す断面図である。また、図７は、ガラス扉枠の裏側構成に関し、装飾部を取り外した状態を概念的に例示する概念図であり、図８は、装飾部を取り外した遊技盤構成を示す平面図である。
【０１１０】
本実施形態に係る遊技機の一例たるパチンコ機１は、例えば遊技ホールに設置されたパチンコ島台のカウンタ台の上部にて複数横方向に並べられて設けられるものである。パチンコ機１は、図２及び図３に示すように、前部には前枠２が設けられ、さらにその前枠２に透明板保持部としてのガラス扉枠３が取付けられている。ガラス扉枠３は、縦軸の回動軸を有するヒンジ部８１により前枠２に開閉可能に支持され、かつガラス（透明板に相当）が嵌め込まれた金属製の枠８３（図４参照）と、その枠に嵌め込まれる合成樹脂製の枠とを備えている。金属製の枠８３に二枚のガラス（前方ガラス５２、後方ガラス５１）が嵌め込まれてガラスユニット５０が構成されている。
【０１１１】
ガラス扉枠３の後方には、図１に示す遊技盤７が配置されている。遊技盤７は略円形の遊技領域を有し、その遊技領域には第１種始動口４、特別表示装置（以下、単に「表示装置」ともいう）５及び大入賞口６が設けられている。第１種始動口４は遊技球の通路を備え、その通路入口に羽根４ａが開閉可能に支持されている。表示装置５は、例えば図柄を動的に表示する図柄表示装置として構成できる。
【０１１２】
図２及び図３に示すように、ガラス扉枠３の下部には、賞球が払い出される上受け皿３ａが装着されている。また、前枠２の窓孔より下方には下受け皿２ａが装着されている。下受け皿２ａは、前記上受け皿３ａに入りきらない賞球や、上受け皿３ａから球抜きした抜き球や、或いはファウル球等の余剰球を、余剰球出口から排出させて貯留させるものである。前枠２における下受け皿２ａの右側方には遊技球を発射するための発射ハンドル１７が回動操作可能に装着されている。発射ハンドル１７に対応する前枠２の裏側には駆動手段としてのモータ（図示せず）が装着されており、発射ハンドル１７の回動操作によってモータか回動され、これにより打球杆（図示せず）が間欠動作されるとともに、前記発射ハンドル１７の回動角度に応じた弾発力に調節される。従って、前記モータ及び打球杆等によって球発射装置が構成されている。
【０１１３】
図１、図２に示すように、表示装置５は第１種始動口４の上方に設けられており、液晶ディスプレイ（ＬＣＤ）からなる画面５ａを備えている。画面５ａには多種類の画像が表示されるが、その１つとして、左図柄列８、中図柄列９及び右図柄列１０が表示される。図柄列の数は前述したもの（３列）に限られず、１列、２列、４列以上であってもよい。各図柄列８乃至１０は、数字、記号等からなる複数の図柄によって構成されている。
【０１１４】
表示装置５では、図柄列８乃至１０での図柄変動が、遊技球の第１種始動口４への入賞により開始される。図柄変動は左図柄列８、右図柄列１０、中図柄列９の順に停止されるが、これは一例にすぎず、別の順序で停止されてもよい。全ての図柄列８乃至１０での図柄変動が停止したとき、表示されている図柄（以下「停止図柄」という）の組合せが、予め定められた組合せ（特定表示結果、以下「大当りの組合せ」という）、すなわち、同一種類の図柄が大当りラインに沿って並んでいるときの同図柄の組合せ（例えば、７７７）、となる場合がある。この停止図柄の組合せを、以下「大当り図柄」という。本実施形態では、大当りラインとして、水平方向へ延びるもの（上・中・下の３種類）と、斜め方向へ延びるもの（右下がり・左下がりの２種類）の合計５種類存在するが、これに限られない。例えば、大当りラインの数が１つであり、通常、「１ライン」と呼ばれているものであってもよい。そして、大当りの組合せが成立すると特別電動役物が作動し、遊技者にとって有利な特別遊技状態としての大当り遊技状態が到来し、より多くの賞球を獲得することが可能となる。
【０１１５】
さらに、パチンコ機１は大当り遊技状態の発生に先立ちリーチ遊技状態となる。ここで、リーチ遊技状態とは大当り遊技状態の直前の状態をいい、例えば、列１０での図柄変動が、大当りライン上において左図柄列８での停止図柄と同一種類の図柄で停止し、かつ、その後に中図柄列９での図柄変動が左右両図柄列８，１０での停止図柄と同一種類の図柄で停止されれば最終的に大当りの組合せとなる状態を含む。また、図柄変動が停止すると、大当り遊技状態となる組合せで変動し、その図柄で停止されれば最終的に大当り遊技状態となる場合において、その変動中の状態もリーチ遊技状態に含まれる。これは、通常、全回転（全図柄）リーチと呼ばれているものである。
【０１１６】
図１に示すように、大入賞口６は第１種始動口４の下方に設けられており、１つのＶゾーン１１、２つの通路１２，１３及びシャッタ１４を備えている。シャッタ１４は大入賞口用ソレノイド１５（以下、単に「ソレノイド１５」ともいう）により作動させられ、Ｖゾーン１１及び通路１２，１３の各入口を開閉する。
【０１１７】
図１に示すように、遊技盤７には、始動口用スイッチ１８、Ｖゾーン用スイッチ１９及びカウントスイッチ２０が取付けられている。始動口用スイッチ１８は、遊技球Ｂの第１種始動口４への入賞を検出する。Ｖゾーン用スイッチ１９は遊技球ＢのＶゾーン１１への入賞を検出し、カウントスイッチ２０は遊技球Ｂの大入賞口６への入賞を検出する。また、各スイッチ１８乃至２０の検出結果に基づきソレノイド１５及び表示装置５をそれぞれ駆動制御するために、制御装置２１が設けられている。制御装置２１は読出し專用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。ＲＡＭはＣＰＵによる演算結果を一時的に記憶する。尚、より詳細には、制御装置２１は、パチンコ機１の主制御を行うメイン基板と、当該メイン基板からの信号によって各部を制御するための表示制御基板、音量調整基板、ＬＥＤ基板、払出し制御基板等の各種のサブ基板とを備えて構成されており、不正信号がメイン基板へ入力されることを防止するために、信号の伝送方向は、メイン基板からサブ基板への一方向のみとなっている。
【０１１８】
ＣＰＵによる制御の１つとして、大当り遊技状態の発生確率を条件に応じて変動させる、いわゆる確率変動がある。具体的には、１／３００程度の低確率で大当り遊技状態を発生させる低確率モードと、その約５倍である１／６０程度の高確率で大当り遊技状態を発生させる高確率モードとが用意されており、大当り図柄の種類に応じて確率モードが切替えられる。すなわち、大当り図柄が、予め定められた特別図柄（例えば奇数図柄）であると高確率モードに設定され、予め定められた通常図柄（例えば偶数図柄）であると低確率モードに設定される。なお、低確率モードでの発生確率に対する高確率モードでの発生確率の倍数は、前述した値（約５）以外の値であってもよい。
【０１１９】
＜装飾部＞
次に装飾部について説明する。
図１及び図２に示すように、本実施形態に係るパチンコ機１において、遊技領域９０内に所定の装飾部５５が配置されており、この装飾部５５が遊技領域９０の外部に及ぶように構成されている。装飾部５５は遊技領域９０の右上部において、遊技領域９０の外部に延出する構成をなしており、装飾部５５の全体が遊技領域９０の中央付近から遊技領域９０の右上の外部にわたって配置されている。具体的には、装飾部５５の一端が遊技領域９０における左側領域に配置されており、他端が遊技領域９０の右側領域外部に配置され、極めて大きく、インパクトのある構成をなしている。
【０１２０】
遊技領域９０は、遊技盤上配置枠としてのレール（例えば板状に形成された金属製のレール）によって、或いはレール及びレールと連続する部品によって略円形に囲まれる領域であり、本実施形態では遊技盤７上の所定領域をレール２２によって大部分が囲まれるようにして遊技領域９０が構成されている。一方、図２、図６、図７、及び図８に示すように、遊技領域９０の境界の一部において、レール２２が配置されないレール非配置領域（以下単に配置領域ともいう）が構成さられており、この非配置領域を介して装飾部５５が遊技領域９０の外部に及ぶように構成されている。
【０１２１】
図２、図８では、非配置領域を設けた場合の、この非配置領域の一方側の仮想的な端縁をＰ１として概念的に示し、他方側の端縁をＰ２として概念的に示している。即ち、Ｐ１、Ｐ２はレール２２の端部位置を示しており、このＰ１、Ｐ２の間の領域が非配置領域とされている。また、図１、図６、図７及び図８に示すように、遊技盤７において、遊技領域９０の内部から外部にわたり、装飾部５５の一部を進入可能とする配置孔７ａ(配置孔７ａは遊技盤非形成部に相当する）が形成されており、特に図６に示すように、装飾部５５は、この配置孔７ａに一部を挿入させる形態にて遊技領域９０の内部から外部に及ぶよう配置されている。具体的には、図７、図８に示すように、周縁が矩形状に構成された遊技盤７において、遊技領域内に対応する位置と、遊技領域外に対応する位置を跨いで貫通する構成にて配置孔７ａが設けられており、この配置孔７ａに対応して装飾部５５が配置されることにより図１、図２に示すように装飾部５５が遊技領域９０の外部にまで及ぶように配置されることとなる。
【０１２２】
遊技領域９０（図１）を構成する所定の枠としては、遊技盤非形成部が設けられた領域以外の領域において遊技盤７上に配置される遊技盤上配置枠（本実施形態ではレール２２）が設けられており、一方、遊技盤非形成部が設けられた領域（即ち配置孔７ａが形成される領域）においては、装飾部５５がこの遊技盤上配置枠（レール２２）と略連続して設けられており、これら装飾部５５及び遊技盤上配置枠（レール２２）によって囲まれることにより遊技領域が構成されている。
【０１２３】
さらに、図６に示すように、装飾部５５の一部において遊技領域９０の境界に沿って壁状に形成される仕切り壁６０Ｄが形成されており、この仕切り壁６０Ｄが遊技領域９０を構成する「所定の枠」の一部とされている。一方、装飾部５５上を遊技球が流れるように、装飾部５５の内部領域において遊技球の流路５４が構成されている。当該流路５４は、仕切り壁６０Ｄの壁面６０Ｅを流路側面とするように、仕切り壁６０Ｄの壁面６０Ｅに沿って構成されている。より詳細には、装飾部５５において、遊技盤７の盤面に沿って延びる溝部が設けられ、この溝部が流路５４として構成されている。流路５４は、内部が視認可能に構成されており、具体的には、装飾部５５の内部領域において流路５４の少なくとも一部が前方に露出して構成されている（ここでは、内部領域の流路全体に渡って露出している）。
【０１２４】
さらに、装飾部５５は、流路５４が設けられている流路領域において、当該流路領域の外部と連続する装飾がなされている。具体的には、流路５４の露出部の流路底面において、流路領域の外部と連続する装飾がなされている。図６の例では、装飾が施される部分を太線Ｆにて概念的に示しており、流路領域の外部及び流路底面にそれぞれ連続する装飾が施されるように構成されている。ここでは、太線Ｆの部分について亀の一部を模した立体的形状としたり、絵柄とするようにして装飾が施されており、図１等に示すように流路内外にわたって連続的に見えるようになっている。
【０１２５】
さらに、図４、図６に示すように、流路構成透明板たる後方ガラス５１の前方位置において、この後方ガラス５１とほぼ同形状に形成され、かつほぼ平行に配置される前方ガラス５２（前方ガラス５２が前方透明板に相当する）が設けられており、装飾部５５の全体が、これら後方ガラス５１及び前方ガラス５２によりカバーされる構成をなしている。なお、図６は、図１におけるＡ−Ａ断面付近の構成を概念的に示すものであるが、図６の例では、壁面６０Ｅが遊技領域の境界（図６では、破線Ｌにて境界を概念的に示す）をなしている。
【０１２６】
図４の例では、流路構成透明板たる後方ガラス５１及び前方透明板たる前方ガラス５２が、ほぼ同一の矩形形状をなしており、装飾部５５の一部がそれら後方ガラス５１及び前方ガラス５２の角部付近に及ぶように配置され、かつ両ガラス５２の角部付近によってカバーされる構成をなしている。図４の構成では、透明板を保持する透明板保持枠としてのガラス扉枠３に形成された窓部３ｃが遊技領域９０（図１）及び延出部６０に対応する形状をなしている。
【０１２７】
一方、図４の構成に換えて、図５のようにしてもよい。図５の例では、図４の構成と同様の窓部３ｃを有する一方、前方ガラス５２及び後方ガラス５１が、遊技領域９０の前方に配置されて円弧状の周縁部を有する遊技領域カバー部と、この遊技領域カバー部より板面方向外側に延び、装飾部５５における遊技領域の外部に配置される部分（即ち延出部６０）をカバーする外部カバー部とを有する構成をなしている。
【０１２８】
なお、図５の例では、ガラスユニット５０において、一点鎖線部Ｘに対応する部分が、外部カバー部として構成されており、それ以外の部分が遊技領域カバー部として構成されている。なお、ガラスを枠８３に嵌め込む構成は様々なものが考えられるが、図５のような形状をなす二枚のガラスの周縁を固定し、ガラス扉枠３に取りつけ可能な構成であれば別の構成を用いてもよい。なおここでは、枠８３をガラス扉枠３に取りつける構成については省略しているが、例えば、図３１と同様に構成し、締結部材により取付可能な構成としてもよく（例えば、枠８３においてねじが貫通可能となる部分を形成して枠８３とガラス扉枠３の本体とをねじ止めする等）、接着剤等により取りつけてもよい。
【０１２９】
さらに、本実施形態では、図１、図２、図４及び図６に示すように、表示装置５の周囲に設けられ、この表示装置５が取り付けられる部品である表示装置周囲部品（本明細書でいう「表示装置周囲部品」は、表示装置が取り付けられる部品全般を指す）が装飾部５５として構成されており、この表示装置周囲部品が後述する亀の形状をなし、遊技領域９０外に延出する形態をなしている。また、本実施形態に係るパチンコ機１において、表示装置５の画面５ａは、中心が遊技領域９０の中央付近より延出部６０（即ち、装飾部５５において遊技領域外に配置される部分）寄りにずれた位置に配置される構成をなしている。ここでは、表示画面５ａが遊技領域９０の左側領域から右側領域にわたって配置され、かつその表示画面５ａの中心が延出部６０寄りにずれた位置となるように構成されている。
【０１３０】
さらに、ここでの装飾部５５は、所定のキャラクターを立体的、或いは平面的に模してなるキャラクター部を有してなるものであり、このキャラクター部の少なくとも一部が遊技領域９０の外部に配置される構成をなしている。ここでのキャラクター部は亀の形状をなすものであり、この亀のキャラクター全体が遊技領域９０の内部から外部にわたって配置されている。
【０１３１】
なお、本実施形態でいうキャラクター部は、各種分野におけるキャラクターを平面的又は立体的に模した構成とすることができる。具体的には、小説・漫画・映画・演劇・テレビ・或いはその他の分野において登場する人、動植物、その他のもの、シンボル、またはそのイメージ等を、平面的又は立体的に模した部分として構成することができ、特に、遊技機利用者において、周知、ないし著名な、若しくは架空の人物、動植物、その他のものを模した構成としたり、意匠性に優れた構成とすると、装飾性、遊技性を効果的に高めうる構成となる。
【０１３２】
また、本実施形態の装飾部５５は、遊技領域９０内に配置される部分と、遊技領域外に配置される部分とが一体的に連続した部品として構成されており、具体的には例えば、装飾部５５において、遊技領域９０内に配置される遊技領域配置部５９と遊技領域９０外に配置される延出部６０とが一体的に形成された樹脂部品として構成されている。そして、このように一体的に形成された部品の一部が配置孔７ａに挿入されるようにして遊技盤７に固定されている。装飾部５５には遊技盤７の盤面に支持されるように、配置孔７ａより大きい周縁部を有する鍔部５５ａが形成されており、この鍔部５５ａがねじ等の接合手段（図示略）を用いて遊技盤７に接合されている。
【０１３３】
＜実施形態２＞
実施形態１では、図６に示すように装飾部５５において溝状に流路を構成したが、実施形態２では、図９（図９は図６を変形した構成を例示するものである）のように、装飾部５５を遊技盤７の盤面に沿って貫通するように流路５４が構成されている。ここでの装飾部５５内の流路５４は、レール２２から続くように、装飾部５５を貫通して円弧状に形成されており、貫通孔の側面５５ｅが遊技領域の境界をなしている。ここでは、装飾部５５における流路領域Ｑにおいて、流路５４の前方を少なくとも部分的にカバーする（図９では流路全体をカバーする）流路カバー部５５ｄが設けられ、その流路カバー部５５ｄの外面（即ち、前面）に、流路領域Ｑの外部とデザイン的に連続する装飾がなされている（装飾が施される部分Ｆを参照）。
【０１３４】
なお、このように装飾部５５を貫通する流路５４は、前方から内部が視認可能となるように構成してもよく、視認不能に構成してもよい。視認可能とする場合には、装飾部５５において流路５４の前方の流路カバー部５５ｄを透明部材によって構成したり、流路カバー部５５ｄにおいてスリットや孔を形成するようにするとよい。また、ここでは流路領域Ｑの全体を覆うように流路カバー部を構成したが、一部分のみを覆うように流路カバー部を構成してもよい。
【０１３５】
＜実施形態３＞
次に、図１０を参照し、実施形態３について説明する。なお、図１０は図６を変形した構成を例示するものである。
実施形態３に係る装飾部５５は複数の部品が連なる装飾をなすように構成されており、遊技領域の内部に取り付けられる内部取付部品（即ち遊技領域配置部５９）と外部に取り付けられる部品（遊技領域外配置部たる延出部６０）とが別々の部品によって構成されており、これら複数の部品が、単一の配置孔７ａに挿入される構成をなしている。この場合においても、図６と同様に、装飾部５５上において溝状の流路５４が形成されており、具体的には、延出部６０と遊技領域配置部５９との間（即ち、双方の部品に挟まれる構成にて）に流路５４が設けられている。
【０１３６】
遊技領域配置部５９と、延出部６０は、互いの端縁部の位置が盤面方向において近接する構成をなすように構成でき、図１０に示すように、互いの端部が当接又は近接して連続した装飾がなされるようになっている。ここでは、内部取付部品及び外部取付部品の少なくともいずれか一方の取付部品の一部が他方の取付部品側に延びる形態をなすように構成されている。ここでは、内部取付部品たる遊技領域配置部５９の一部が流路５４を跨いで外部取付部品たる延出部６０側に延び、遊技領域配置部５９と延出部６０の一部が当接する構成をなしている。
【０１３７】
＜実施形態４＞
実施形態４では、図１１及び図１２（図１２は、窓部及び窓部内において視認される遊技盤構成を概念的に示す図である）にて示すように、透明板保持枠（ガラス扉枠３）に構成された窓部３ｃがほぼ矩形形状をなす例について示しており、それ以外の構成については、上記又は下記のいずれの実施形態の構成をも用いることができる。この窓部３ｃの内縁形状が、流路構成透明板（即ち後方ガラス５１）及び前方透明板（前方ガラス５２）の視認部の周縁形状となっており、これらの視認部が共に汎用的な矩形形状をなしている。
【０１３８】
そして、このような窓部及びガラス構成をなす遊技機においても、上記実施形態と同様に、遊技領域９０の内部領域及びに外部領域に跨る構成にて、装飾部５５を取り付けるための配置孔７ａが形成されており、この配置孔７ａに一部を挿入する形態にて装飾部５５が遊技盤７に取り付けられている。なお、ここでは図６のような装飾部構成を適用しているが、図９、１０のような構成を用いても勿論よい。
【０１３９】
＜実施形態５＞
次に実施形態５について図１３ないし図２０を参照しつつ説明する。
図１３は、本実施形態に係る遊技機の一例を概念的に示す概念図であり、図１４は、キャラクター部の要部を正面から見た概念図である。また、図１５は、図１４の裏側機構を例示する概念図であり、図１６は第２変位部の駆動機構を概念的に説明する説明図である。さらに、図１７は、特別電動役物制御ルーチンの流れの一例を示すフローチャート、図１８は、図１７に続く図である。図１９は、図柄変動開始処理ルーチンの流れの一例を示すフローチャートであり、図２０は、確率変動処理ルーチンの流れの一例を示すフローチャートである。
【０１４０】
本実施形態では、キャラクター部が、動作態様、表示態様等の態様が変化するように構成されている点が第１実施形態と異なり、それ以外の構成については上記実施形態とほぼ同様の構成（即ち、上記実施形態と同様に、遊技領域９０の内部領域及びに外部領域に跨る構成にて、装飾部５５を取り付けるための配置孔７ａが形成されており、この配置孔７ａに一部を挿入する形態にて装飾部５５が遊技盤７に取り付けられている等）をなすため、その相違点について重点的に説明する。なお、本実施形態の要部構成（キャラクター部が、動作態様、表示態様等の態様が変化するという構成）は、上記又は下記のいずれの実施形態にも付加することができる。
【０１４１】
ここでは、キャラクター部の態様を変更するように制御するキャラクター部態様制御手段（制御装置２１がキャラクター部態様制御手段に相当）を備えており、キャラクター部は、遊技領域９０の内部での態様変化と外部若しくは内外に跨る部分での態様変化が連動、若しくは関連した動作をなすこととなる。具体的な機構等については後述する。
【０１４２】
なお、本発明でいう態様の変化は、キャラクター部自体が変化する構成のみならず、キャラクター部に関連する部位（たとえばキャラクター部の近傍等）の態様が変化することによりキャラクター部の態様が相対的に変化するような構成をも概念として含む。例えば、キャラクター部から所定距離離れた位置においてランプが光ることによりキャラクター部が照らされ、明るく見えるようになったり、所定の色あいをもつようになる構成をも包含する。また、態様の変化としては、キャラクター部自体、若しくはキャラクター部と関連する部位が変位するような動作による態様変化、或いは、キャラクター部内、若しくはキャラクター部と関連する所定の部位が発光するような発光による態様変化など、あらゆる態様変化が概念として含まれ、キャラクター部の様子が変化する構成であればこれら以外の態様変化手法を適用しても勿論よい。
【０１４３】
具体的には、図１３に示すように、装飾部５５において、遊技領域内に配置される第１変位部１０１と、遊技領域内外に跨って配置される第２変位部１４０、と、変位しない固定部１２０が設けられており、これら第１変位部１０１及び第２変位部１４０が変位可能に構成されている。第１変位部１０１は、図１４、図１５にて示すように、回動軸１０３まわりに回動可能に構成されており、ソレノイド部１０５の駆動により変位するように構成されている。ここでは、第１変位部１０１から後方に延びる２本の軸部１１３が設けられており、この軸部１１３を余裕をもって挟むようにしてフランジ部１１０及び１１１が駆動軸１０７に取りつけられている。駆動軸１０７にはフランジ部１０８が設けられており、このフランジ部１０８とソレノイド部１０５の間には付勢手段としてのコイルばね１０６が配置されている。そして、所定の遊技状態に至った場合（後述）にソレノイド部１０５が通電され、亀の顔部分が反時計回りに回動し、一方、通電が解除されると再びコイルばね１０６の付勢により初期状態に復帰することとなる。第１変位部１０１の周囲には、この第１変位部１０１に対する遊技球の衝突を防止するための、リブ状の防護壁５５ｂが設けられている。
【０１４４】
第２変位部１４０は、図１６（Ａ）（Ｂ）にて示すように、遊技領域９０の内外にわたって配置されるものであり、ソレノイド部１５０の駆動により変位するように構成されている。ここでは、第２変位部１０１から後方に延びる後方延出部１４２が設けられており、この後方延出部１４２から遊技盤面に沿って延びる２本の軸部１４４が設けられている。そして、この軸部１４４を余裕をもって挟むようにしてフランジ部１５４及び１５５が駆動軸１５２に取りつけられている。駆動軸１５２にはフランジ部１５３が設けられており、このフランジ部１５３とソレノイド部１５０の間には付勢手段としてのコイルばね１５１が配置されている。そして、所定の遊技状態に至った場合（後述）にソレノイド部１５０が通電され、子がめ形状をなすプレート１４１が横方向に移動し、一方、通電が解除されると再びコイルばね１０６の付勢により初期状態に復帰することとなる。このような第１変位部１０１及び第２変位部１４０は、例えば所定の遊技状態（リーチ状態発生、大当り発生、或いは確変発生）の成立に基づき、制御手段２１によって駆動されるようになっている。
【０１４５】
以下において、これらの遊技状態の発生制御について説明する。図１７乃至図２０のフローチャートは、制御装置２１によって実行される各種ルーチンを示している。これらのルーチンの各処理は、カウンタ群及びフラグＦに基づいて実行される。
【０１４６】
カウンタ群は、ラウンドカウンタＲ、入賞カウンタＰ及び確変カウンタＣを含む。ラウンドカウンタＲはラウンド回数をカウントするためのものであり、入賞カウンタＰはカウントスイッチ２０の検出結果に基づき大入賞口６への遊技球Ｂの入賞個数をカウントするためのものである。確変カウンタＣは高確率モードの終了を判断するためのものであり、「２」，「１」，「０」の値を採る。なお、カウンタＲ，Ｐ，Ｃの初期値はいずれも「０」である。
【０１４７】
そのほかにもカウンタ群は、大当り遊技状態発生を決定するための内部乱数カウンタと、外れリーチ等を決定するための外れリーチ乱数カウンタと、停止図柄等を決定するためのそれぞれの図柄カウンタと、リーチ動作の種類を決定するためのリーチ種別カウンタとを含む。ここで、外れリーチ乱数カウンタによる外れリーチとは、前述したリーチ遊技状態の後に最終的に大当りの組合せとならない状態をいう。フラグＦは、Ｖゾーン１１への遊技球Ｂの入賞の有無を判定するためのものであり、Ｖゾーン用スイッチ１９によって入賞が検出されない場合に「０」に設定され、入賞が検出されると「１」に設定される。なお、確率モードには低確率モードと高確率モードの２種類類あることは既に説明したが、初期値には低確率モードが設定されている。
【０１４８】
さて、遊技者による遊技が開始されると、制御装置２１は、まず図１７の特別電動役物制御ルーチンのステップＳ１０において、始動口用スイッチ１８の検出結果に基づき、遊技球Ｂの第１種始動口４への入賞があったか否かを判定する。この判定条件が満たされていないと特別電動役物制御ルーチンを終了し、満たされているとステップＳ２０において、内部乱数カウンタ、外れリーチ乱数カウンタの各値を取得するとともに、各図柄カウンタの値に基づき図柄列８乃至１０毎に外れ図柄を取得する。ここでの取得とは、各カウンタの値を読取り、その値をメモリに記憶する処理を指す。
【０１４９】
次に、ステップＳ３０で図柄変動開始処理を実行する。詳しくは、図１９のステップＳ３１において、図柄列８乃至１０の各図柄をそれぞれ表示装置５で変動表示させる。この表示により、遊技者には左・中・右の３つのリールがあたかも回転しているように見える。ステップＳ３２において、内部乱数カウンタの値が大当り値と同一であるか否かを判定する。大当り値としては、２種類の値（低確率用大当り値、高確率用大当り値）が用意されている。前者は大当り遊技状態を前述した低確率で発生させるための値であり、後者は高確率で発生させるための値である。例えば、内部乱数カウンタが、「０」乃至「２９９」の範囲で所定時間毎に値を更新するものである場合、そのうちの「７」を低確率用大当り値とし、「７」，「１７」，「２７」，「３７」，「４７」を高確率用大当り値とする。すると、大当り遊技状態が発生する確率は、低確率用大当り値を大当り値として用いた場合には１／３００となり、高確率用大当り値を大当り値として用いた場合には１／６０となる。そして、前回の制御周期で低確率モードが設定されている場合には、低確率用大当り値が大当り値として選択される。高確率モードが設定されている場合には、高確率用大当り値が大当り値として選択される。
【０１５０】
ステップＳ３２の判定条件が満たされていると、ステップＳ３３において、大当り値に対応する大当り図柄を停止図柄としてメモリに記憶する。一方、ステップＳ３２の判定条件が満たされていないと、ステップＳ３４において、外れリーチ乱数カウンタの値が予め定められた外れリーチ値と同一である否かを判定する。この判定条件が満たされていると、ステップＳ３５において、外れリーチ値に対応する図柄（以下「外れリーチ図柄」という）を停止図柄としてメモリに記憶する。なお、ステップＳ３４の判定条件が満たされていないと、ステップＳ３６において、前記ステップＳ２０での外れ図柄を停止図柄としてメモリに記憶する。そして、上記ステップＳ３３，Ｓ３５，Ｓ３６で停止図柄を記憶した後、図柄変動開始処理ルーチンを終了する。
【０１５１】
前記のようにステップＳ３０の処理（図柄変動開始処理）を実行した後、図１７のステップＳ４０において左右両図柄列８，１０における図柄を、前記ステップＳ３３，Ｓ３５，Ｓ３６のいずれかの処理で記憶した停止図柄に差替える。差替え後の図柄によって左右両図柄列８，１０での図柄変動を停止させる。
【０１５２】
ステップＳ５０では、中図柄列９での図柄変動を停止させる。続いて、ステップＳ６０において、図柄の組合せが大当りの組合せであるか否かを判定する。この判定条件が満たされていないと特別電動役物制御ルーチンを終了し、満たされていると、ステップＳ７０において、大当り信号ＯＮを出力端子１６Ｂ及び１６ｂに出力する。さらに、ステップＳ８０において、大当り図柄が特別図柄（この場合、奇数図柄）であるか否かを判定し、特別図柄である場合は（ステップＳ８０：Ｙｅｓ）、ステップＳ９０において確変大当り信号ＯＮを出力端子１６Ｃ及び１６ｃに出力する。続いて、ステップＳ１００において、ラウンドカウンタＲをリセットする。そして、ステップＳ１１０において入賞カウンタＰをリセットするとともに、フラグＦを「０」に設定する。
【０１５３】
続いて、図１８のステップＳ１２０においてソレノイド１５を励磁する。すると、シャッタ１４が倒れ、大入賞口６の通路入口が開放される。この開放により、遊技球ＢのＶゾーン１１及び通路１２，１３への入賞が可能となる。ステップＳ１３０でラウンドカウンタＲを「１」インクリメントする。
【０１５４】
次に、ステップＳ１４０において、入賞カウンタＰの値が所定値Ｐmax以下であるか否かを判定する。この判定条件が満たされていると、ステップＳ１５０において、大入賞口６の閉鎖予定時期がまだか否かを判定する。この判定条件が満たされていると（ステップＳ１５０：Ｙｅｓ）、ステップＳ１４０へ戻る。その結果、大入賞口６の開放開始後にＰmax個よりも多くの遊技球Ｂが入賞するか、閉鎖予定時期が到来するかしない限りは、大入賞口６が開放され続ける。これに対し、ステップＳ１４０，Ｓ１５０の判定条件のいずれか一方が満たされていないと、ステップＳ１６０においてソレノイド１５を消磁する。すると、シャッタ１４が起こされ、大入賞口６の通路入口が閉鎖される。
【０１５５】
そして、ステップＳ１７０において、ラウンドカウンタＲの値が所定値がＲmax以下であるか否かを判定する。この判定条件が満たされていると、ステップＳ１８０においてフラグＦが「１」であるか否かを判定する。ステップＳ１８０の判定条件が満たされていると（ステップＳ１８０：Ｙｅｓ）、図１７のステップＳ１１０へ戻る。従って、一旦大当り遊技状態が発生すると、遊技球ＢがＶゾーン１１に最大Ｒmax回入賞するまでは、大入賞口６が開閉のサイクルを繰返す。例えば、所定値Ｐmaxが「１０」に設定され、大入賞口６の開放時間が「約２９．５」秒に設定され、所定値Ｒmaxが「１６」に設定されている場合には、大入賞口６の開放後、（１）遊技球Ｂが大入賞口６へ１０個入賞すること、（２）約２９．５秒が経過すること、のいずれか一方の条件が満たされた時点で大入賞口６が閉鎖される。この大入賞口６の開放・閉鎖のサイクルが、遊技球ＢのＶゾーン１１への入賞を条件に最大で１６回繰返されることとなる。ステップＳ１７０，Ｓ１８０の判定条件のいずれか一方が満たされていないと、ステップＳ１９０で「大当り信号ＯＦＦ」を出力端子１６Ｂ及び１６ｂに出力する。さらに、ステップＳ２００において、大当り図柄が特別図柄（この場合、奇数図柄）であるか否かを判定し、特別図柄である場合は（ステップＳ２００：Ｙｅｓ）、ステップＳ２１０において確変大当り信号ＯＦＦを出力端子１６Ｃ及び１６ｃに出力する。続いて、ステップＳ２２０で確率変動処理を実行し、その後、特別電動役物制御ルーチンを終了する。
【０１５６】
図２０の確率変動処理ルーチンでは、ステップＳ２２１において、大当り図柄が通常図柄（この場合偶数図柄）であるか否かを判定する。この判定条件が満たされていないと（ステップＳ２２１：Ｎｏ）、すなわち、大当り図柄が特別図柄（奇数図柄）であると、ステップＳ２２７において確変カウンタＣが「０」であるか否か（高確率モード中であるか否か）が判定され、確変カウンタＣが「０」である（高確率モード中である）場合は（Ｓ２２７：Ｙｅｓ）、ステップＳ２２８において、確変中信号ＯＮを出力端子１６Ａ及び１６ａに出力する。続いて、ステップＳ２２９において高確率モードを設定し、確変カウンタＣに「２」を設定する。ステップＳ２２９の処理を実行した後、確率変動処理ルーチンを終了する。このように、高確率中に特別図柄（奇数図柄）で大当り遊技状態が連続して発生した場合には、高確率モードが継続することとなる。
【０１５７】
一方、前記ステップＳ２２１の判定条件が満たされていると、すなわち、大当り図柄が通常図柄（偶数図柄）であると、ステップＳ２２２において確変カウンタＣが「０」でないか否かを判定する。この判定条件が満たされていない（Ｃ＝０）と確率変動処理ルーチンを終了し、満たされている（Ｃ＝２，１）とステップＳ２２３において確変カウンタＣを「１」デクリメントする。ステップＳ２２４において確変カウンタＣが「０」であるか否かを判定する。この判定条件が満たされていない（Ｃ＝１）と確率変動処理ルーチンを終了し、満たされている（Ｃ＝０）とステップＳ２２５において、確変中信号ＯＦＦを出力端子１６Ａ及び１６ａに出力し、ステップＳ２２６において、低確率モードを設定する。このように一旦高確率モードが設定されると、確変カウンタＣが「０」となるまで、すなわち、高確率モード設定後、連続して偶数図柄で２回大当り遊技状態が発生するまでは高確率モードが継続する。そして、偶数図柄での大当り遊技状態が２回連続すると、高確率モードが終了し低確率モードに切替えられる。
【０１５８】
なお、本実施形態での処理手順は一例であり、適宜変更可能である。例えば、図柄変動処理（ステップＳ３１）を停止図柄の記憶処理（ステップＳ３３，Ｓ３５，Ｓ３６）の後に行うようにしてもよい。
【０１５９】
上述したように、本実施形態では、遊技球Ｂが第１種始動口４へ入賞したことが検出されると、各カウンタの値が取得されるとともに図柄列８乃至１０が変動表示される。各カウンタの値に基づき停止図柄が記憶され、その停止図柄によって図柄変動が停止される。停止されたときに表示されている図柄の組合せが大当りの組合せであると、遊技者に有利な大当り遊技状態が発生し、遊技球ＢがＶゾーン１１に最大Ｒmax回入賞するまで、大入賞口６の開閉のサイクルが繰返される。
【０１６０】
一方、大当り図柄が特別図柄（奇数図柄）であると高確率モードが設定され、次回と、その次の回の２回にわたり大当り遊技状態の発生確率が高められる。すなわち、一旦高確率モードが設定されると、次回以降２回の大当り遊技状態の発生確率が高められるが、その期間中に再び奇数図柄で大当り遊技状態が発生すれば高確率モードが設定される。これに対し、前記期間経過後に通常図柄（偶数図柄）で大当り遊技状態が発生すれば高確率モードが終了する（低確率モードに切替えられる）。このような制御過程において、所定のタイミング（例えば、大当り発生時、確率変動発生時、リーチ発生時等）でキャラクター部が駆動制御されることとなる。なお、駆動制御するタイミングは様々とすることができる。また、第１変位部１０１と第２変位部１４０の変位を関連付けて制御するようにしてもよい。例えば、リーチ発生時には第１変位部１０１のみを変位させ、大当り発生時には第２変位部１４０のみを変位させ、確率変動発生時には第１変位部１０１及び第２変位部１４０を両方変位させるようにすれば、これら第１変位部１０１及び第２変位部１４０がより関連性が深くなり、遊技者は双方の変位部の動向を注意深く見ることとなり、装飾性及び興趣の向上を効果的に図ることができる。
【０１６１】
＜実施形態６＞
次に実施形態６について図２１ないし図２８を参照しつつ説明する。
まず、図２１ないし図２４を参照し、本実施形態の一例を説明する。図２１は、本実施形態に係る遊技機を模式的に示す正面図であり、図２２はその遊技盤構成を説明する説明図、図２３は図２１のＢ−Ｂ断面付近を概念的に示す概念図、図２４は図２３についてガラス扉枠３が開いた状態を示す図である。なお、本実施形態は、上記若しくは下記のいずれの実施形態にも付加することができるものである。
【０１６２】
上記実施形態にて説明したように、パチンコ機１には遊技盤７の前方において遊技球の流路を構成する流路構成透明板として後方ガラス５１が設けられており、この後方ガラス５１の板面の少なくとも一部が、遊技盤７の盤面と対向して流路を構成する流路構成面とされているが、本実施形態では、図２３に示すように装飾部５５の一部が流路構成面より前方位置に突出する構成をなしている。本実施形態においても、上記実施形態と同様に、遊技領域９０の内部領域及びに外部領域に跨る構成にて、装飾部５５を取り付けるための配置孔７ａが形成されており、この配置孔７ａに一部を挿入する形態にて装飾部５５が遊技盤７に取り付けられている。なお、ここでは、上記実施形態とほぼ同様の亀のキャラクター部を有する装飾部５５を例示しているが、別の構成のキャラクター部を用いて本実施形態の構成をとっても勿論よい。
【０１６３】
本実施形態では、図２３に示すように、装飾部５５において、遊技領域９０外に配置される延出部６０が、流路構成面よりも前方に突出するように構成されている。ここでは、流路構成透明板（後方ガラス５１）とこの流路構成透明板の前方に配置される前方透明板（前方ガラス５２）が異なる形状をなしており、流路構成透明板を貫通する形態にて、或いは流路構成透明板の周縁部外側位置において前方に突出する形態にて（図２３、後方ガラス５１の周縁部外側位置において前方に突出する形態をなす）突出部が設けられており、さらにこの突出部の前方が、前方透明板たる前方ガラス５２によってカバーされた構成をなしている。
【０１６４】
前方ガラス５２は、遊技領域９０に対応した形状をなすと共にこの遊技領域９０をカバーする遊技領域対応部５２Ｃと、延出部６０に対応した形状をなしこの延出部６０をカバーする延出部対応部５２Ｄが設けられており、遊技領域対応部５２Ａから板面方向外側に向けて延出部対応部５２Ｄが延出した構成をなしている。遊技領域対応部５２Ｃは、周縁が円形に構成される円形周縁部からなり、一方、延出部対応部５２Ｄは、この円形周縁部から外側に延出するように構成されている。
【０１６５】
後方ガラス５１は、前方ガラス５２の形状に対し、周縁の一部が切り欠かれた切欠部５１Ａが設けられており、この切欠部５１Ａを介して延出部６０が前方に突出している。さらに、前方ガラス５２における突出部の前方には、この突出部をカバーする突出カバー部（延出部対応部５２Ｄが突出カバー部として機能する）が設けられている。
【０１６６】
なお、ここでは前方透明板及び流路構成透明板を両方ともガラス部材により構成したが、これに限られない。例えば、前方透明板を樹脂部材により構成し、一方、流路構成透明板をガラス部材によって構成することができる。このようにすれば、流路構成透明板については傷等が生じにくいガラス部材によって構成され、前方透明板については加工し易い樹脂部材によって構成されることとなる。
【０１６７】
さらに、図２３に示すように、装飾部５５において、流路構成透明板（後方ガラス５１）の縁部の前方を覆う縁部カバー６０Ｃ（図２２ないし図２５も参照）が設けられており、流路構成透明板（後方ガラス５１）の縁部の露出を低減又は防止するように構成されている。ここでの縁部カバー６０Ｃは揺動可能に構成されており、自然状態では図２３のように位置保持されるようになっている。そして、ガラス扉枠３の開閉に伴って後方ガラス５１の周縁部が当たると、先端が後方側（遊技盤側）或いは前方側に倒れるようになっており、力がかからない状態では弾性復帰により、図２３のような初期状態に復帰するようになっている。ここでは、突出部の前方をカバーする前方透明板（即ち前方ガラス５２）は、全体が平坦に構成されている。
【０１６８】
図２５は、図２１とは異なる突出部形状（具体的には図２１とは異なる突出部の装飾態様）をなす遊技機について例示している。ここでは、突出部のみに配置されるキャラクター部（図２５では３つの小亀部）が設けられており、このキャラクター部が突出することにより装飾性や面白みを増すようにしている。
【０１６９】
また、図２６及び図２７のように構成してもよい。図２６及び図２７では、突出部に駆動する部分を設けた構成を例示しており、図２６は正面図を模式的に示し、図２７は図２６のＣ−Ｃ断面付近を概念的に示している。なお、駆動する部分（第２変位部１４０）の駆動構成は第５実施形態にて説明した第２変位部１４０とほぼ同様であるが、本実施形態では、突出部において変位する点が第５実施形態と異なっている。
【０１７０】
また、図２８のようにしてもよい。上記の例では、後方ガラス５１において、周縁の一部が切り欠かれた切欠部５１Ａが設けられ、この切欠部５１Ａを介して延出部６０が前方に突出する構成を示したが、図２８では、後方ガラス５１において、突出部の前方位置に、この突出部をカバーする突出カバー部５１Ｃが、前方に凸となる凸状に設けられた構成を示しており、このような構成をなす後方ガラス５１の前方に平坦な１枚板からなる前方ガラス５２が配置されている。
【０１７１】
＜実施形態７＞
次に実施形態７について図２９ないし図３６を参照しつつ説明する。
図２９は本実施形態に係る遊技機を概念的に例示する斜視図であり、図３０はこの正面図、図３１はガラス扉枠の裏側構成を例示する説明図である。また、図３２では、本実施形態の要部構成（突出部付近の構成）を説明する説明図であり、図３０のＤ−Ｄ断面付近を概念的に示すものである。また、図３３は、図３２において扉が開いた状態を示す説明図である。実施形態７では、前方透明板たる前方ガラス５２において、突出部の前方位置に、この突出部をカバーする突出カバー部５２Ｂが、平坦部５２Ａよりも前方に凸となる凸状に設けられた構成について説明する。なお、ここでは突出部が、前方ガラス５２の平坦部５２Ａよりも前方に突出する構成を例示している。なお、本実施形態においても、上記実施形態と同様に、遊技領域９０の内部領域及びに外部領域に跨る構成にて、装飾部５５を取り付けるための配置孔７ａが形成されており、この配置孔７ａに一部を挿入する形態にて装飾部５５が遊技盤７に取りけられている
【０１７２】
図３２及び図３３では、突出部が駆動しない構成について例示したが、図３４及び図３５に示すように、キャラクター部が駆動する構成として、その駆動する部分の一部又は全部を前方ガラス５２における平坦部５２Ａの前方に突出させるようにしてもよい。図３４及び図３５では、図２８に示すものと同様の第２変位部１４０が設けられているということを破線にて概念的に例示している。なお、駆動機構等の構成については図２８と同様であるので詳細な説明は省略するが、図２８と同様ののものを突出部の内部に配置することができる。
【０１７３】
なお、図３４はこの構成において、ガラス扉枠３が閉じた状態を示し、図３５は開いた状態を示している。また、図３６は、上記形態とは形状の異なる前方ガラス５２を例示しており、ここでは、突出部付近において、遊技領域側から外部側につれて徐々に前方ガラス５２が前側に位置する構成をなしている。このような透明板構成は様々な突出部構成（例えば図２１、図２５、図２６などのような突出部構成）に適用できる。
【０１７４】
なお、この構成において、前方透明板を樹脂部材により構成し、一方、流路構成透明板をガラス部材によって構成するようにしてもよい。このようにすれば、流路構成透明板については傷等が生じにくいガラス部材によって構成され、前方透明板については加工し易い樹脂部材によって構成されることとなる。また、ここでの説明では、前方透明板において、遊技領域の外部に対応する部分のみが凸状に形成される構成を例示したが、本実施形態に関し、遊技領域の内部に対応する部分のみを凸状に形成してもよく、遊技領域の内外に跨る部分を凸状に形成してもよい。
【０１７５】
＜実施形態８＞
実施形態８では、図３７に示すように、遊技領域９０の内部領域及びに外部領域に跨る構成にて配置孔７ａが形成され、かつこの配置孔７ａに一部を挿入する形態にて装飾部５５が遊技盤７に取り付けられているものにおいて、装飾部５５における突出部に対応する位置において、流路構成透明板（後方ガラス５１）と前方透明板（前方ガラス５２）の両方に突出カバー部５１Ｃ、５２Ｂが凸状に設けられた構成を例示している。なお、ここでの説明では、前方透明板及び流路構成透明板において、遊技領域の外部に対応する部分のみを凸状に形成する構成を例示したが、本実施形態に関し、遊技領域の内部に対応する部分のみを突出させてもよく、遊技領域の内外に跨る部分を凸状に形成してもよい。
【０１７６】
＜実施形態９＞
実施形態６ないし８では、別体に形成された部品をそれぞれ配置孔７ａに取り付ける構成を例示したが、一体的に形成される部品が部分的に配置孔７ａに挿入されるようにしてもよい。具体的には、例えば、遊技領域内に配置される部分と遊技領域外に配置される部分とを樹脂部品として一体的に（即ち分離不能に）形成し、この樹脂部品を、遊技領域内外に跨る配置孔７ａに取り付けるようにすることができる。
【０１７７】
例えば、装飾部５５の一部を流路構成面の前方に突出させる構成をなすものにおいて、上述の実施形態６及び７では、装飾部における遊技領域内に配置される遊技領域配置部５９と延出部６０とが別部品として構成される例を示したが、これらの実施形態においても、遊技領域の内部に配置される部分と、外部に配置される部分とが一体的に形成されるように装飾部５５を構成してもよい。実施形態８では、図３８に示すように、装飾部５５の一部が流路構成面の前方に突出する構成において、遊技領域の内部に配置される部分と、外部に配置される部分とが一体的に形成される構成を例示している。ここでは、遊技領域配置部と延出部６０が一体的に成形された樹脂部品として構成されている。なお、このように一体的に構成する例は、実施形態６ないし８のいずれにも適用できる。
【０１７８】
＜実施形態１０＞
上記実施形態では、遊技盤非形成部が、遊技領域の内部から外部に渡り遊技盤を貫通する形態にて構成される例を示したが、本実施形態では遊技盤を切り欠く形態にて遊技盤非形成部が構成される例を示している。図３９では、本実施形態に係る遊技機の遊技盤において、装飾部を取り外した状態を示しており、図４０は本実施形態に係る遊技盤構成（即ち、装飾部を取り付けた状態）を示している。具体的には、図３９に示すように、大部分の周縁が矩形状に構成された遊技盤７において、当該遊技盤の一部を切り欠いてなる切欠部７ｆが設けられており、この切欠部７ｆが遊技盤非形成部に相当している。
【０１７９】
この切欠部７ｆは、遊技領域内に対応する位置と、遊技領域外に対応する位置を跨いで切り欠く構成をなしている。そして、図４０に示すように、この切欠部７ｆに一部を挿入する形態にて（即ち、切欠部７ｆに嵌め込まれる形態にて）装飾部５５が配置されることとなる。このように切欠部７ｆを設ける構成は、遊技盤の周縁部近傍にまで装飾部を配置する場合等、強度的に貫通孔を形成しにくい場合などに有効となる。
【０１８０】
＜実施形態１１＞
遊技領域９０は、少なくとも一部が、遊技盤７上に配置された遊技盤上配置枠（レール２２）により囲まれる構成をなしているが、本実施形態では、さらに、この遊技盤上配置枠（レール２２）が、遊技盤７から遊技盤非形成部側（即ち配置孔７ａ）にまで渡って配置される構成とすることができる。例えば図２７に示すように、遊技盤非形成部が設けられた領域（即ち配置孔７ａが形成された領域）において、装飾部５５上に遊技盤上配置枠を設けるようにすることができる。図２７では、装飾部５５が配置孔７ａに挿入されて配置された状態でその装飾部上をレール２２が配設されているが、レール２２は装飾部５５に固定されていても良く、非固定で配置されていてもよい。
【０１８１】
＜実施形態１２＞
図２７の例では、遊技盤非形成部が設けられた領域（即ち配置孔７ａが形成された領域）において、装飾部５５上に遊技盤上配置枠（レール２２）を設けているが、このようにしなくてもよい。本実施形態では、図４１、図４２に示すように、遊技盤上配置枠（レール２２）が、遊技盤７上に固定される一方、遊技盤非形成部が設けられた領域（即ち配置孔７ａが形成された領域）においては後方側を支持されない状態（いわば空間に浮いた状態）で配置されている。具体的には、レール２２は、遊技盤非形成部（貫通孔７ａ）を跨ぐ構成にて配置され、遊技盤非形成部の両側において遊技盤７に固定されている。そして、このように遊技盤上配置枠（レール２２）が配置された状態で、例えば図４３に示すように、遊技盤非形成部が設けられた領域において、遊技盤上配置枠（レール２２）の前方を跨ぐようにして遊技領域の内部から外部に渡って装飾部５５を配置することができる。
【０１８２】
また、図４１、図４２のようにレール２２が構成された状態において、レールの両側に別々の部品を配置し、これら別々の部品の装飾（装飾が施される部分Ｆ）が連なるように構成してもよい。この場合、レールに当接或いは近接させて両側の部品（延出部６０、遊技領域配置部５９）を配置してもよく、いずれか一方、或いは双方の部品についてレール２２から若干の距離を隔てて配置してもよい。
【０１８３】
さらに、図４１の構成の代わりに図４５のような遊技盤非形成部（即ち切欠部７ｆ）が用いられた場合においても、切欠部７ｆを跨ぐ構成にてレール２２を配置し、切欠部７ｆの両側においてレール２２を遊技盤７に固定することができる。このような場合であっても、図４３、図４４と同様に装飾部５５を配置できることは勿論である。
【０１８４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態は、表示画面が全て遊技領域内に収まる構成を例示したが、表示画面の一部が遊技領域外部に配置される構成、即ち、表示画面が遊技領域の内部から外部に跨るように配置される構成であってもよい。本発明のように、遊技領域の内外にわたって配置孔或いは切欠部を構成すると、このように表示画面を遊技領域内外に跨らせて配置する場合に有利な構成となる。
（２）上記実施形態では、表示画面が遊技盤の盤面とほぼ平行に配置される構成を例示したが、表示画面が遊技盤の盤面に対して傾斜した構成をなすようにしてもよい。
（３）上記実施形態では、表示装置の周囲に配置される表示装置周囲部品が装飾部として構成されるものを例示したが、これ以外の装飾部を遊技領域の内部から外部へ延出させてもよい。例えば、役物を構成する役物構成部品として装飾部を構成してもよく、この役物構成部品の一部が外部にまで及ぶように構成されていてもよい。また、遊技盤に配置される入賞装置において、当該入賞装置を構成する部品の一部分が遊技領域外部にまで及ぶように構成してもよい。
（５）上記実施形態では、延出部が少なくとも前方ガラスにカバーされる構成を例示したが、延出部の一部が、前方ガラスにカバーされずに外部に露出するように構成してもよい。
（６）上記実施形態では、遊技領域の右上部に延出部が設けられた構成を示したが、延出部の位置はこれに限定されない。例えば、左上部や右下部、左下部などであってもよい。或いは、遊技領域の側部や上部、下部などであってもよい。
（７）上記実施形態では、表示画面の中心が、遊技領域のほぼ中心位置よりも延出部寄りにずれた位置となるように構成されるものを例示したが、これ以外であってもよい。例えば、表示画面の中心が遊技領域のほぼ中心位置にあってもよい。
（８）上記実施形態では、表示画面が全て遊技領域に収まる構成を例示したが、表示画面の一部が遊技領域外に位置する構成であってもよい。即ち、表示画面が遊技領域内外に跨る構成であってもよい。
（９）上記実施形態では、いずれも装飾部５５の内部に流路が構成されるものを例示したが、装飾部５５の内部において遊技球が通過不能となるように構成してもよい。その一例としては、図６、図９などに示す装飾部の内部流路を設けない構成などが挙げられる。
【図面の簡単な説明】
【０１８５】
【図１】本発明の実施形態１に係る遊技機における遊技盤構成を概念的に例示する正面図
【図２】本発明の実施形態１に係る遊技機を概念的に例示する正面図
【図３】図２の斜視図
【図４】図２のガラス扉枠の裏側構成を概念的に例示する概念図
【図５】図４の変形例を概念的に例示する概念図
【図６】実施形態１における装飾部の配置構成を説明する説明図
【図７】ガラス扉枠の裏側構成に関し、装飾部を取り外した状態を概念的に例示する概念図
【図８】装飾部を取り外した遊技盤構成を示す平面図
【図９】実施形態２に係る遊技機における要部を概念的に示す説明図
【図１０】実施形態３に係る遊技機における要部を概念的に示す説明図
【図１１】実施形態４に係る遊技機の一例を概念的に示す斜視図
【図１２】図１１の要部を示す図
【図１３】第実施形態５に係る遊技機の一例を概念的に示す概念図
【図１４】キャラクター部の要部を正面から見た概念図
【図１５】図１４の裏側機構を例示する概念図
【図１６】第２変位部の駆動機構を概念的に説明する説明図
【図１７】特別電動役物制御ルーチンの流れの一例を示すフローチャート
【図１８】図９に続く図
【図１９】図柄変動開始処理ルーチンの流れの一例を示すフローチャート
【図２０】確率変動処理ルーチンの流れの一例を示すフローチャート
【図２１】本発明の実施形態６に係る遊技機を概念的に例示する概念図
【図２２】図２１の遊技盤の構成を概念的に例示する概念図
【図２３】図２１のの延出部近傍の構成を概念的に説明する説明図
【図２４】図２１のキャラクター部の要部を正面から見た概念図
【図２５】図２４の裏側機構を例示する斜視図
【図２６】図２４の機構を正面から説明する説明図
【図２７】図２１の変形例を示す図
【図２８】図２７に関し、ガラス扉が開いた状態を例示する説明図
【図２９】実施形態７に係る遊技機を概念的に例示する斜視図
【図３０】図２９の正面図
【図３１】図２９においてガラス扉枠の裏側構成を例示する説明図
【図３２】図２９の要部構成を概念的に例示する説明図
【図３３】図３２において扉が開いた状態を示す説明図
【図３４】図３２の変形例を示す説明図
【図３５】図３４において扉が開いた状態を示す説明図
【図３６】図３２に関し、図３４とは異なる変形例を示す説明図
【図３７】実施形態８の要部構成を概念的に例示する説明図
【図３８】実施形態９の要部構成を概念的に例示する説明図
【図３９】実施形態１０に関し、装飾部が取り付けられていない遊技盤構成を概念的に示す概念図
【図４０】実施形態１０の遊技盤構成を概念的に説明する説明図
【図４１】実施形態１２の遊技盤構成を概念的に説明する説明図
【図４２】実施形態１２の遊技機におけるガラス扉枠の裏側構成を概念的に例示する斜視図
【図４３】実施形態１２の要部構成について、図６を変形した様子を示す説明図
【図４４】実施形態１２の要部構成について、図４３とは異なる例を示す図
【図４５】実施形態１２の遊技盤構成について図４１とは異なる例を示す図
【符号の説明】
【０１８６】
１…パチンコ機（遊技機）
５…表示装置
５ａ…表示画面
７…遊技盤
７ａ…配置孔（遊技盤非形成部）
７ｄ…盤面
７ｆ…切欠部（遊技盤非形成部）
２１…制御装置（キャラクター部態様制御手段）
２２…レール（所定の枠、遊技盤上配置枠）
５１…後方ガラス（流路構成透明板）
５１Ｂ…後方ガラスの板面（流路構成面）
５１Ｃ…突出カバー部
５２…前方ガラス（前方透明板）
５２Ｂ…延出部対応部（突出カバー部）
５４…流路
５５…装飾部（表示装置周囲部品、キャラクター部）
６０…延出部
６０Ｃ…縁部カバー
６０Ｄ…仕切り壁（所定の枠）
６０Ｅ…壁面
９０…遊技領域
Ｆ…装飾が施される部分
【図１】
2005095239.tif 000003
【図２】
2005095239.tif 000004
【図３】
2005095239.tif 000005
【図４】
2005095239.tif 000006
【図５】
2005095239.tif 000007
【図６】
2005095239.tif 000008
【図７】
2005095239.tif 000009
【図８】
2005095239.tif 000010
【図９】
2005095239.tif 000011
【図１０】
2005095239.tif 000012
【図１１】
2005095239.tif 000013
【図１２】
2005095239.tif 000014
【図１３】
2005095239.tif 000015
【図１４】
2005095239.tif 000016
【図１５】
2005095239.tif 000017
【図１６】
2005095239.tif 000018
【図１７】
2005095239.tif 000019
【図１８】
2005095239.tif 000020
【図１９】
2005095239.tif 000021
【図２０】
2005095239.tif 000022
【図２１】
2005095239.tif 000023
【図２２】
2005095239.tif 000024
【図２３】
2005095239.tif 000025
【図２４】
2005095239.tif 000026
【図２５】
2005095239.tif 000027
【図２６】
2005095239.tif 000028
【図２７】
2005095239.tif 000029
【図２８】
2005095239.tif 000030
【図２９】
2005095239.tif 000031
【図３０】
2005095239.tif 000032
【図３１】
2005095239.tif 000033
【図３２】
2005095239.tif 000034
【図３３】
2005095239.tif 000035
【図３４】
2005095239.tif 000036
【図３５】
2005095239.tif 000037
【図３６】
2005095239.tif 000038
【図３７】
2005095239.tif 000039
【図３８】
2005095239.tif 000040
【図３９】
2005095239.tif 000041
【図４０】
2005095239.tif 000042
【図４１】
2005095239.tif 000043
【図４２】
2005095239.tif 000044
【図４３】
2005095239.tif 000045
【図４４】
2005095239.tif 000046
【図４５】
2005095239.tif 000047